(57)【要約】【課題】  商品展示ブース等の空間をレイアウトする際に、自由度が高く、汎用性に優れ、且つ容易に設置及び取外しのできる骨組み構築材及びそのジョイント部材を提供する【解決手段】  商品展示ブース等の空間をレイアウトする際、複数の柱梁部材を組合せて骨組みを構築するための略多角柱状のジョイント部材２であって、該略多角柱状の上底面の少なくともいずれか一方の面に単管を鉛直方向に接続するための一又は複数の第１連結部２２ｃと、該略多角柱状の少なくとも一つの側辺部に単管を外方向に接続するための第２連結部２３ａとを備えてなる。【選択図】図３
2010168761.tif 000002
【特許請求の範囲】
【請求項１】
商品展示ブース等の空間をレイアウトする際、複数の単管を接続して骨組みを構築するための略多角柱状のジョイント部材であって、該略多角柱状の上底面の少なくともいずれか一方の面に単管を鉛直方向に接続するための一又は複数の第１連結部と、該略多角柱状の少なくとも一つの側辺部に単管を外方向に接続するための第２連結部とを備えてなることを特徴とする略多角形状のジョイント部材。
【請求項２】
略多角柱状の前記ジョイント部材は、平板状で平面視多角形の第１多角形部材及び第２多角形部材と、上下端が開口し外周面の一部に突起部を設けた側面形状略ト字形の筒状部材とからなり、該第１及び第２多角形部材の上底面の両面或いはいずれか一面には、多角形の各頂点部に上底面に対して鉛直方向に突出する突起部を設け、両多角形部材の突起部の設置面を対面させた状態にするとともに、第１及び第２多角形部材の対面する突起部を前記筒状部材の上下端開口部に嵌合することにより、第１及び第２多角形部材を着脱容易に連結して略多角柱状に形成し、第１或いは第２多角形部材の上底両面に該突起部を設けた場合には筒状部材を嵌合しない面の突起部を前記第１連結部とし、また、前記筒状部材に設けた外周面の突起部を前記第２連結部として単管を接続可能に形成してなることを特徴とする請求項１に記載のジョイント部材。
【請求項３】
商品展示ブース等の空間をレイアウトする際、複数の単管を接続して骨組みを構築するための骨組み構築材であって、一本又は複数本の単管の両端に前記請求項１又は２のいずれかに記載のジョイント部材を第１連結部に接続してなることを特徴とする骨組み構築材。
【発明の詳細な説明】
【技術分野】
【０００１】
本発明は、商品展示ブース等の空間をレイアウトする際、複数本の単管を組合せて骨組みを構築するためのジョイント部材及び骨組み構築材に関する。
【背景技術】
【０００２】
近年、商品の展示会等において低コストで効率的な空間作りが求められている状況において、トラス構造の汎用のレンタル展示部材が使用されるのが一般的である。このような既存の汎用展示構造部材は、デザイン及び設計上の制約が多く、多様なニーズに応えることができないため、どのような展示会等であっても類似した展示ブースになりがちである。
【０００３】
従来、例えば、略立方体形状の支点部材の各面に突起を設けて、円筒状のジョイント部材を嵌合するとともに、橋絡材として角型紙製の筒状紙管をジョイント部材に嵌合させて複数の支点部材を連結し、格子状の骨組みが組立てられ、展示用構築物を構築する技術が提供されている（特許文献１）。
【０００４】
また、店舗の床面に平面視断面輪郭が六角形のブースを、共有する側面において２体以上連接した店舗用ブースを構築することにより、容易且つ自由なレイアウトで増設でき、製造コストを低く抑えられる店舗用ブースが提供されている（特許文献２）。
【先行技術文献】
【特許文献】
【０００５】
【特許文献１】登録実用新案第３００７９８８号公報
【特許文献２】特開２０００−１５４６６１号公報
【発明の概要】
【発明が解決しようとする課題】
【０００６】
しかしながら、特許文献１に記載の技術では、立方体の支点部材の各面にジョイント部を介して複数の筒状紙管を連結すれば、容易に展示用構築物を組立てることができるものの、完成した展示用構築物は、単なる格子状のレイアウトに過ぎず、それ以外にデザインのバリエーションを構築することができないという空間デザインに制限があるために、多様なニーズに応えることができない。また、一般的に、金属製の単管が商品展示ブース等の構築に用いられるため、該技術の紙管に汎用性を持たせるのは困難である。
【０００７】
また、特許文献２に記載の技術も同様に、構築される店舗用ブースは、平面視六角形のハニカム構造に限られ、且つ一旦構築してしまうと、パネル取り外して運搬するのに嵩張るなど、施工性等に難があるとともに、全体的に空間がパネルで仕切られてしまうので、レイアウトの自由度が低く、汎用的に使用することはできない。
【０００８】
そこで、本発明は、商品展示ブース等の空間をレイアウトする際に、自由度が高く、汎用性に優れ、且つ容易に設置及び取外しのできるジョイント部材及び骨組み構築材を提供することを課題とする。
【課題を解決するための手段】
【０００９】
上記課題を解決するために、本発明は次のように構成した。すなわち、本発明に係る請求項１に記載の骨組み構築材は、商品展示ブース等の空間をレイアウトする際、複数の単管を接続して骨組みを構築するための略多角柱状のジョイント部材であって、該略多角柱状の上底面の少なくともいずれか一方の面に単管を鉛直方向に接続するための一又は複数の第１連結部と、該略多角柱状の少なくとも一つの側辺部に単管を外方向に接続するための第２連結部とを備えてなることを特徴としている。
【００１０】
また、請求項２に記載のジョイント部材は、略多角柱状の前記ジョイント部材は、平板状で平面視多角形の第１多角形部材及び第２多角形部材と、上下端が開口し外周面の一部に突起部を設けた側面形状略ト字形の筒状部材とからなり、該第１及び第２多角形部材の上底面の両面或いはいずれか一面には、多角形の各頂点部に上底面に対して鉛直方向に突出する突起部を設け、両多角形部材の突起部の設置面を対面させた状態にするとともに、第１及び第２多角形部材の対面する突起部を前記筒状部材の上下端開口部に嵌合することにより、第１及び第２多角形部材を着脱容易に連結して略多角柱状に形成し、第１或いは第２多角形部材の上底両面に該突起部を設けた場合には筒状部材を嵌合しない面の突起部を前記第１連結部とし、また、前記筒状部材に設けた外周面の突起部を前記第２連結部として単管を接続可能に形成してなることを特徴としている。
【００１１】
また、請求項３に記載の骨組み構築材は、商品展示ブース等の空間をレイアウトする際、複数の単管を接続して骨組みを構築するための骨組み構築材であって、一本又は複数本の単管の両端に前記請求項１又は２のいずれかに記載のジョイント部材を第１連結部に接続してなることを特徴としている。
【発明の効果】
【００１２】
本発明のジョイント部材及び骨組み構築材によれば、ジョイント部材に設けた第１連結部及び第２連結部に単管を接続するだけで、容易且つ自由に空間をレイアウトすることができ、また、その設置及び取外しを容易にすることもできる。また、一般的な単管を接続することができるので、極めて汎用的な使用をすることができる。さらに、ジョイント部材の側辺に設けた第二連結部に単管を接続し、複数の骨組み構築材を連結すれば、さまざまな空間をレイアウトすることができ、例えば、二つの骨組み構築材を並列に連結し、その間隙にパネルを取り付ければ展示パネルを構築できるなど、極めて自由度の高いレイアウトを構築することができる。
【図面の簡単な説明】
【００１３】
【図１】本発明の骨組み構築材を示す斜視図である。
【図２】骨組み構築材を用いて構築した骨組みを示す図である。
【図３】本発明のジョイント部材を示す斜視図である。
【図４】第一の三角形部材を示す図である。
【図５】第二の三角形部材を示す図である。
【図６】筒状部材を示す図である。
【図７】筒状部材と橋架用単管との接続方法を示す図である。
【図８】その他の実施例を示す図である。
【図９】その他の実施例を示す図である。
【図１０】その他の実施例を示す図である。
【図１１】その他の実施例を示す図である。
【図１２】その他の実施例を示す図である。
【発明を実施するための形態】
【００１４】
以下、図面に基づき、本発明について、略三角柱状に形成された骨組み構築材１及びそのジョイント部材２について具体的に説明する。なお、略多角柱状とは、下記で詳述するジョイント部材２のように、複数の部材を組合せて略多角柱形状になる構造体をも含むものである。
【００１５】
図１は、本発明に係る骨組み構築材１を示す斜視図である。ここでは、骨組みを構築するのに際して、骨組み構築材１を支柱として用いる場合について説明する。本発明の骨組み構築材１は、ジョイント部材２及び支持用単管３によって構成され、上下端のジョイント部材２が単管の支持用単管３によって接続されて形成される。骨組み構築材１は、例えば、展示用ブース等の空間作りに使用される骨組みの一部を為すものであって、図２に示すような、複数の骨組み構築材１が橋架用単管４によって連結され、展示用ブース等の骨組み５を形成して多用なレイアウトを構築する。
【００１６】
図３は、本発明に係るジョイント部材２を示す斜視図である。ジョイント部材２は、平面視三角形に形成して中抜きした第１三角形部材２１及び第２三角形部材２２と、外周面の一部に外側に開口した孔を設けた筒状部材２３から構成される。以下に、図４乃至図６を用いてジョイント部材２の構成を詳細に説明する。
【００１７】
まず、図４は、上記平面視三角形の板状を中抜きした第１三角形部材２１を示す図であって、図４（ａ）は、その平面図であり、図４（ｂ）は、その正面図である。図４（ａ）及び図４（ｂ）に示す通り、第１三角形部材２１は、平面視三角形の板状を中抜きした形状に形成され、各頂点部には三角形の辺部２１ａよりもやや幅広の円状板２１ｂが形成されている。
【００１８】
この各円状板２１ｂには、その上面から断面形状凹形に突出したドーナツ状突起部２１ｃが形成されるとともに、凹形状の陥没部の中心部から底面方向に貫通する孔が形成され、該凹形状の陥没部には、下端面にネジ挿入孔を設けたボルト２１ｄが挿入されて、底面方向から該孔に挿入されたネジ２１ｅによって螺設され、上部にボルト２１ｄのネジ溝がくるように構成される。また、ドーナツ状突起部２１ｃの周面には、筒状部材２３を固定するための固定用リブ２１ｆが、三角形の頂点二等分線と周面との２つの接点部から外方向に突出して形成されている。
【００１９】
次に、図５は、上記平面視三角形の板状を中抜きした第２三角形部材２２を示す図であって、図５（ａ）は、その底面図であり、図５（ｂ）は、その正面である。図５（ａ）及び図５（ｂ）に示す通り、第２三角形部材２２は、平面視三角形の板状を中抜きした形状に形成され、各頂点部には三角形の辺部２２ａよりもやや幅広の円状板２２ｂが形成されている。
【００２０】
この各円状板２２ｂの上面には、骨組み構築材１の上下端のジョイント部材２を連結する支持用単管３を嵌合する円筒状の第１連結部２２ｃが設けられ、その上端の周縁部の一部に支持用単管３を固定するための切欠き２２ｄが形成されている。また、該各円状板２２ｂの底面には、円柱状で断面形状凹状に陥没したドーナツ状突起部２２ｅが設けられ、該陥没部には、上記第１三角形部材２１のボルト２１ｄの上部を螺設するネジ切りが形成されるとともに、該突起部２２ｅの外周面には、筒状部材２３を固定するための固定用リブ２２ｆが、三角形の頂点二等分線と周面との２つの接点部から突起部２２ｅの外方向に突出して形成されている。
【００２１】
次に、図６は、上記筒状部材２３を示す図であって、図６（ａ）は、その平面図であり、図６（ｂ）は、その側面の断面図である。図６（ａ）及び図６（ｂ）に示す通り、筒状部材２３は、側面形状略ト字状であって、上下端及び外周面部の一部から水平方向に突出した円筒状の第２連結部２３ａの三方向に開口した筒状に形成されており、円筒状の第２連結部２３ａは、一般的に市販されている単管を嵌合できる円形の筒状に形成されている。該筒状部材２３の内周面には、その上下方向に複数のスリット２３ｂが設けられ、上記図４で説明した固定用リブ２１ｆ及び図５で説明した固定用リブ２２ｆを嵌め込み可能な程度の大きさに形成されている。
【００２２】
また、水平方向に突出した円筒状の第２連結部２３ａの外周面には、骨組み構築材１を連結する橋架用単管４が覆うように嵌合され、円筒状の第２連結部２３ａの端部周縁に設けた切欠き２３ｃに、図７に示すように、橋架用単管４の一端に設けたピン４ａを嵌め込み、切欠き２３ｃ内で回転させロックして橋架用単管４を固定する。なお、橋架用単管４を円筒状の第２連結部２３ａに固定できれば、ゴム等の弾性素材を円筒状の第２連結部２３ａの外周面に周設し、嵌め込まれた橋架用単管４に密着するようにして橋架用単管４を固定してもよい。橋架用単管４を固定できれば、その構成は何でよく、円筒状の第２連結部２３ａ内に橋架用単管４を挿入して固定する態様であってもよい。
【００２３】
このように形成された第１三角形部材２１、第２三角形部材２２及び筒状部材２３を結合してジョイント部材２を形成する。具体的には、第１三角形部材２１の上面に形成したドーナツ状突起部２１ｃに、その外周に形成した固定用リブ２１ｆを筒状部材２３のスリット２３ｂに嵌め込んで筒状部材２３の下端開口部を嵌合するとともに、筒状部材２３の上端開口部に第２三角形部材２２の円柱状の突起部２２ｅを、固定用リブ２２ｆがスリット２３ｂに嵌り込むように嵌合する。この時、筒状部材２３の水平方向に突出した円筒状の第２連結部２３ａが三角形の頂点の外方向に開口するように構成する。
【００２４】
ジョイント部材２は、骨組み構築材１の上下端に位置し、支持用単管３によって接続される。円筒状の支持用単管３の両端を上下端の第２三角形部材２２に形成した円筒状の第１連結部２２ｃに嵌め込み、第１連結部２２ｃの切欠き２２ｄに、図７で示した橋架用単管４の嵌合と同じように、支持用単管３の両端に設けたピン（図示せず。）、例えばバネ式ロックピン等を嵌め込み固定する。なお、支持用単管３をジョイント部材２に固定することができれば、円筒状の第１連結部２２ｃに切欠き２２ｄを設けず、その外周面にゴム等の弾性素材を周設し、支持用単管３を嵌め込んだ際に密着させて固定する等、どのような構成であってもよい。また、長さの異なる支持用単管３や筒状部材２３を用いることにより、様々な用途に応じた長さの骨組み構築材１を形成することができる。
【００２５】
このように構成した骨組み構築材１及びそのジョイント部材２は、各部材の取り付け及び取外しが非常に容易であって、非常に容易く展示用ブース等の空間をレイアウトすることができる。また、略三角柱状の側辺から外方向に開口して設けられた３つの第２連結部２３ａに橋架用単管４を嵌め込んで複数の骨組み構築材１を連結すれば、ハニカム構造の空間を構築でき、骨組み構築材１の連結数を変更することによっては、自由で多様な空間をレイアウトすることが可能となる。また、第２連結部２３ａには、一般的な単管を固定することができ、様々な場面で汎用的に本発明の骨組み構築材１及びそのジョイント部材２を使用することができる。また、筒状部材２３の内周面には一定間隔で複数のスリット２３ｂが設けられているので、第１三角形部材２１及び第２三角形部材２２を嵌め込んでジョイント部材２を形成する際に、固定用リブ２１ｆ及び２２ｆを嵌め込むスリット２３ｂを変更すれば、どの方向に第２連結部２３ａを突出させるかの調節が可能である。
【００２６】
なお、レイアウトの都合上、円筒状の第２連結部２３ａに橋架用単管４を連結する必要がない場合、例えば、二つの骨組み構築材１を連結する場合には、橋架用単管４を接続しない側辺に、略ト字状の筒状部材２３の代わりに、単に上下端が開口した円筒で内周面にスリット２３ｂを設けたものを嵌め込めばよく、どちらの筒状部材２３を取り付けるかの選択が可能で、容易に交換することができる。
【００２７】
上記実施例では、本発明に係る骨組み構築材１を骨組み５の支柱として用いたが、図８に示したように、梁としても用いることができる。このように骨組み構築材１を連結した空間をレイアウトすれば、さらに多様な空間を構築することが可能となり、例えば、内側面に商品等を展示した展示通路を構築してみたり、絵画や陶芸品等を並べてみたり等の展示スペースをレイアウトすることもできる。
【００２８】
また他にも、図９で示したように、筒状部材２３に、円筒状の第２連結部２３ａの代わりに側面形状凹形の鍵状のパネルジョイント２３ｄを設けて、二つの骨組み構築材１の間に、パネルジョイント２３ｄに対応する逆凹形の鍵状のジョイントを設けたパネル６を固設し、パネル展示に使用することもできる。また、パネル６を固設した二つの骨組み構築材１を一列に並べて設置すれば、パーティションのように使用することができる。なお、パネルジョイント２３ｄは、１枚の板を折り曲げた平面視Ｕ字形に形成し、曲部側を筒状部材３に固設するとともに（図示せず。）、パネル６をパネルジョイント２３ｄのＵ字形の開口部に挿入してから螺設する態様であってもよい。このような様々な筒状部材２３を選択的に交換すれば、パネル展示用のパネル或いは展示通路等の多様な骨組み５を構築することができる。
【００２９】
さらに、上記実施例では、平面視三角形の骨組み構築材１を説明したが、他にも平面視四角形や平面視五角形等、多角形の骨組み構築材１を複数構成して組合せれば、本発明の骨組み構築材１が汎用性に優れていることも相俟って、多くの場面であらゆるバリエーションの空間をレイアウトすることができる。
【００３０】
また、上記実施例では、平面三角形の骨組み構築材１において、各頂点部から一本ずつ計３本の単管を接続して形成したが、図１０に示すように、骨組み構築材１は、単管１本を接続しても２本を接続するようにジョイント部材２を構成してもよい。また、図示はしないが、ジョイント部材２を円柱状や楕円柱状に形成してもよい。こうすると、周面の所望の箇所に第２連結部２３ａを設けることができ、レイアウトの幅もより広げることができる。
【００３１】
図１１中のジョイント部材２の筒状部材２３は、ト字状の水平方向に突出する円筒状の第２連結部２３ａが、二股に突出して形成されている。そうすると、一つの筒状部材２３から二方向に橋架用単管４を連結することができ、また、他の二つの筒状部材２３にも橋架用単管４を接続すれば、各骨組み構築材１間に橋架用単管４を二本接続することができるので、骨組み５全体の強度を向上することができる。
【産業上の利用可能性】
【００３２】
上記実施例では、空間レイアウトを構築するのに本発明の骨組み構築材１を用いたが、図１２に示すように、他にも骨組みの上に布製の屋根７を設けてテントとして使用でき、各テントの間には、パイプ８を接続した樋９を設置してもよく、雨水の滴りを防止することができる。また、骨組み構築材１を形成せずに、ジョイント部材２のみを橋架用単管４で連結し、比較的小さく形成して棚として使用することもできる。この場合、筒状部材２３には、上下端に同一方向に突出する２つの第２連結部２３ａを設けて棚を安定させてもよい。
【符号の説明】
【００３３】
１      骨組み構築材
２      ジョイント部材
２１    第１三角形部材
２１ａ  辺部
２１ｂ  円状板
２１ｃ  ドーナツ状突起部
２１ｄ  ボルト
２１ｅ  ネジ
２１ｆ  固定用リブ
２２    第２三角形部材
２２ａ  辺部
２２ｂ  円状板
２２ｃ  第１連結部
２２ｄ  切欠き
２２ｅ  ドーナツ状突起部
２２ｆ  固定用リブ
２３    筒状部材
２３ａ  第２連結部
２３ｂ  スリット
２３ｃ  切欠き
２３ｄ  パネルジョイント
３      支持用単管
３ａ    ピン
４      橋架用単管
４ａ    ピン
５      骨組み
６      パネル
７      屋根
８      パイプ
９      樋
【図１】
2010168761.tif 000003
【図２】
2010168761.tif 000004
【図３】
2010168761.tif 000005
【図４】
2010168761.tif 000006
【図５】
2010168761.tif 000007
【図６】
2010168761.tif 000008
【図７】
2010168761.tif 000009
【図８】
2010168761.tif 000010
【図９】
2010168761.tif 000011
【図１０】
2010168761.tif 000012
【図１１】
2010168761.tif 000013
【図１２】
2010168761.tif 000014